(57)【要約】【課題】通信システムにおいて、各端末における音声用クロックの補正特性を向上することができる技術を提供する。【解決手段】デジタルドアホン等の通信システムにおいて、音声同期用パケットを送信するクロックマスタ１０１と、音声同期用パケットを受信する端末１０３とを有する。クロックマスタ１０１は、音声同期用パケットの端末１０３への到達時間のゆれ幅より音声クロックの周波数偏差が大きくなる時間間隔（例えば２４時間）を空けて音声同期用パケットを送信する。【選択図】図１
2009141743.tif 000002
【特許請求の範囲】
【請求項１】
音声同期用パケットを送信するクロックマスタと、
前記音声同期用パケットを受信する端末とを有する通信システムであって、
前記クロックマスタは、前記音声同期用パケットの前記端末への到達時間のゆれ幅より音声クロックの位相のズレ幅が大きくなる時間間隔を空けて前記音声同期用パケットを送信することを特徴とする通信システム。
【請求項２】
請求項１記載の通信システムにおいて、
前記端末は、受信した前記音声同期用パケットの時間間隔をタイマにて監視し、
前記タイマに設定された時間を超えたとき、前記音声同期用パケットが損失したものと判断することを特徴とする通信システム。
【請求項３】
請求項２記載の通信システムにおいて、
前記タイマに設定される値は、前記音声同期用パケットの送信時間間隔と、前記音声同期用パケットの前記端末への到達時間のゆれ幅との和であることを特徴とする通信システム。
【請求項４】
請求項３記載の通信システムにおいて、
前記端末は、過去のクロック補正履歴を保持し、前記音声同期用パケットが損失したものと判断されたとき、前記クロック補正履歴に基づいてクロック補正を行うことを特徴とする通信システム。
【請求項５】
請求項１記載の通信システムにおいて、
前記音声同期用パケットは、同期カウンタ値を含み、
前記端末は、同期カウンタを有し、
前記音声同期用パケットの同期カウンタ値と、前記端末の同期カウンタの値とを比較し、その差分が予め設定した閾値を超えたとき、再度同期を取り直すことを特徴とする通信システム。
【発明の詳細な説明】
【技術分野】
【０００１】
本発明は、通信システムに関し、特に、音声同期用パケットにより複数の端末間のクロック補正を行う通信システムに関する。
【背景技術】
【０００２】
本発明者が検討した技術として、例えば、デジタルドアホン等の通信システムにおいては、以下の技術が考えられる。
【０００３】
例えば、通信回線にイーサネット（登録商標）（Ｅｔｈｅｒｎｅｔ）を使ったドアホンシステムがある。このドアホンシステムは、通信に音声通話を含むシステムである。このドアホンシステムにおいて、イーサネット（登録商標）に接続される各端末はそれぞれ音声用クロックを持つ。その音声用クロックには各端末間に周波数偏差がある。
【０００４】
このドアホンシステムは、音声用クロックのマスタとなる装置（以下、「クロックマスタ」という。）を１つ持つ。このクロックマスタは、イーサネット（登録商標）に接続された各端末に音声クロック同期用パケット（以下、「Ｓｙｎｃパケット」という。）を送信する。Ｓｙｎｃパケットは、クロックマスタからブロードキャスト（一斉同報）で各端末に送信される。クロックマスタを含む各端末は音声用クロックでカウントアップするカウンタを持つ（以下、このカウンタの値を「同期カウンタ値」とする。）。クロックマスタは、Ｓｙｎｃパケットを送信する時、Ｓｙｎｃパケットに同期カウンタ値を載せる。各端末は、Ｓｙｎｃパケットを受信した時、Ｓｙｎｃパケットの同期カウンタ値と自機内の同期カウンタ値を比較し、周波数偏差を補正する。
【０００５】
また、このドアホンシステムは、端末間で音声通話を行うことができる。さらに、一斉放送や、三者通話機能も含む。また、各端末には、周波数偏差の補正スピードに制限値が設けられる。
【発明の開示】
【発明が解決しようとする課題】
【０００６】
ところで、前記のような通信システムの技術について、本発明者が検討した結果、以下のようなことが明らかとなった。
【０００７】
例えば、Ｓｙｎｃパケットによる音声同期方法をイーサネット（登録商標）に適用する場合、以下の課題がある。
【０００８】
第１に、Ｓｙｎｃパケット送信毎に同期カウンタ値の差分がばらつく。ばらつきの原因は、クロックマスタと各端末の間にあるパケット中継器（ＨＵＢ）の処理時間のばらつきによる。各端末は、同期カウンタ値の差分がＳｙｎｃパケットの到着時間のばらつきによるものなのか、音声用クロックの周波数偏差によるものなのかが分らなく、音声用クロックの補正が困難である。
【０００９】
第２に、Ｓｙｎｃパケットは、クロックマスタからブロードキャストで送信される。Ｓｙｎｃパケットを短時間間隔で送信することはイーサネット（登録商標）回線の負荷を上げることになる。
【００１０】
第３に、パケット中継器の初期設定状態でブロードキャストパケットを制限するものがある。Ｓｙｎｃパケットを短時間間隔（ｍｓ単位）で送信するには、パケット中継器の設定を変更する必要がある。このような変更作業の追加は、コストアップにつながる。
【００１１】
第４に、通信システムで起こり得る問題として、通信障害等でＳｙｎｃパケットのロス（損失）が発生すると、端末側の音声用クロックの補正ができない。
【００１２】
第５に、通信障害などで、クロックマスタと端末の間で、同期カウンタ値に大きく差が生じた場合、補正スピードに制限があるので、音声用クロックの補正に時間がかかる。
【００１３】
第６に、Ｓｙｎｃパケットの送信時間間隔が大き過ぎると音声用クロックのジッタ（周波数のゆれ）が大きくなる。
【００１４】
そこで、本発明の目的は、通信システムにおいて、各端末における音声用クロックの補正特性を向上することができる技術を提供することにある。
【００１５】
本発明の前記並びにその他の目的と新規な特徴は、本明細書の記述及び添付図面から明らかになるであろう。
【課題を解決するための手段】
【００１６】
本願において開示される発明のうち、代表的なものの概要を簡単に説明すれば、次のとおりである。
【００１７】
すなわち、本発明による通信システムは、音声同期用パケットを送信するクロックマスタと、前記音声同期用パケットを受信する端末とを有する通信システムである。前記クロックマスタは、前記音声同期用パケットの前記端末への到達時間のゆれ幅より音声クロックの位相のズレ幅が大きくなる時間間隔を空けて前記音声同期用パケットを送信することを特徴とする。
【発明の効果】
【００１８】
本願において開示される発明のうち、代表的なものによって得られる効果を簡単に説明すれば、以下のとおりである。
【００１９】
端末間の音声通信において、音声データのロス（損失）が無いことから、音声品質が良くなる。
【発明を実施するための最良の形態】
【００２０】
以下、本発明の実施の形態を図面に基づいて詳細に説明する。なお、実施の形態を説明するための全図において、同一部材には原則として同一の符号を付し、その繰り返しの説明は省略する。
【００２１】
図１は、本発明の一実施の形態による通信システムの構成を示すブロック図である。
【００２２】
まず、図１により、本実施の形態による通信システムの構成の一例を説明する。本実施の形態の通信システムは、例えばマンション内に設置されるデジタルドアホンシステムとされ、クロックマスタ１０１、複数のパケット中継器（ＨＵＢ）１０２ａ〜ｄ、複数の端末１０３ａ〜ｅなどから構成されている。これに限定されるものではないが、例えば、端末１０３ａは玄関に設置され、端末１０３ｂ〜１０３ｅは、マンション１階の各居室に設置されている。端末１０３ａ〜１０３ｃは、イーサネット（登録商標）（Ｅｔｈｅｒｎｅｔ）により、パケット中継器１０２ｄと接続されている。端末１０３ｄ〜ｅは、２線（２−Ｗｉｒｅ）により、端末１０３ｃと接続されている。パケット中継器１０２ｂ〜ｄは、イーサネット（登録商標）により、パケット中継器１０２ａと接続されている。クロックマスタ１０１はパケット中継器１０２ａに接続されている。パケット中継器１０２ｂはマンション３階に設置され、パケット中継器１０２ｃはマンション２階に設置されている。また、図示しないが、パケット中継器１０２ｂ〜ｃには、それぞれ複数の端末が接続されている。
【００２３】
クロックマスタ１０１は、音声用クロックのマスタとなる装置である。このクロックマスタ１０１は、イーサネット（登録商標）に接続された各端末１０３にパケット中継器１０２を介してＳｙｎｃパケットを送信する。Ｓｙｎｃパケットは、クロックマスタ１０１からブロードキャスト（一斉同報）で各端末１０３に送信される。クロックマスタ１０１及び各端末１０３は音声用クロックでカウントアップするカウンタを持つ。このカウンタの値を「同期カウンタ値」とする。クロックマスタ１０１は、Ｓｙｎｃパケットを送信する時、Ｓｙｎｃパケットに同期カウンタ値を載せる。各端末１０３は、Ｓｙｎｃパケットを受信した時、Ｓｙｎｃパケットの同期カウンタ値と自機内の同期カウンタ値を比較し、周波数偏差を補正する。
【００２４】
また、この通信システムは、端末１０３間で音声通話を行うことができる。さらに、一斉放送や、三者通話機能も含む。また、各端末１０３には、周波数偏差の補正スピードに制限値が設けられる。
【００２５】
図２は本実施の形態の通信システムにおいて、端末１０３の構成を示すブロック図である。
【００２６】
図２に示すように、端末１０３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２０１、マイク２０２、スピーカ２０３、音声コーデック（Ｃｏｄｅｃ）２０４などから構成されている。ＡＳＩＣ２０１は、同期モジュール（Ｍｏｄｕｌｅ）２０８ａ〜ｃを含む音声同期ロジック（Ｌｏｇｉｃ）２０５、音声処理ＤＳＰ（Ｄｉｇｉｔａｌ  Ｓｉｇｎａｌ  Ｐｒｏｃｅｓｓｏｒ）２０６、ネットワーク処理部２０７などから構成されている。同期モジュール（Ｍｏｄｕｌｅ）２０８ａ〜ｃは、音声用クロックの同期をとるためのモジュールである。
【００２７】
音声同期ロジック２０５には、音声用クロック１（例えば４８ＭＨｚ）、音声用クロック２（例えば３２ＭＨｚ）の２つの音声用クロックが入力される。ネットワーク処理部２０７は、２線（２−Ｗｉｒｅ）により他の端末と接続され、イーサネット（登録商標）（Ｅｔｈｅｒｎｅｔ）によりパケット中継器（ＨＵＢ）１０２と接続される。  
【００２８】
図３は、図２の同期モジュール（Ｍｏｄｕｌｅ）２０８の構成を示すブロック図である。
【００２９】
図３に示すように、同期モジュール２０８は、例えば、補正値算出機構３０１、全体制御部３０２、音声クロックカウンタ（Ｂａｓｅ＿ｃｎｔ）３０３、同期失敗検出機構３０４、セレクタ（ＳＥＬ）３０５、補正音声クロックカウンタ（Ｏｗｎ＿ｃｎｔ）３０６、Ｓｙｎｃパケット送信タイミング生成部３０７、カウンタ値比較回路３０８、補正間隔生成部３０９、ＭＣＬＫ調整回路３２０などから構成される。補正値算出機構３０１は、例えば、自音声クロックカウンタ（Ａｐ＿ｃｎｔ）３１０、セレクタ３１１、カウンタ値保持キュー３１２、差分検出部３１３、差分加算部３１４、カウンタ差分保持部３１５、分周器３１６、加算器３１７、セレクタ３１８、擬似ＳＹＮＣ発生機構３１９などから構成される。
【００３０】
クロックマスタ動作において、音声クロックカウンタ（Ｂａｓｅ＿ｃｎｔ）３０３は、システムの基準となる音声用クロックのカウンタ値を保持するカウンタとして機能する。Ｓｙｎｃパケット送信タイミング生成部３０７は、音声クロックカウンタ３０３のカウンタ値（Ｂａｓｅ＿ｃｎｔ）に基づいてＳｙｎｃパケットの送信タイミングを生成する。
【００３１】
非クロックマスタ動作において、全体制御部３０２は、同期モジュール２０８全体の制御を行う。補正値算出機構３０１は、自音声クロックカウンタ（Ａｐ＿ｃｎｔ）３１０の履歴を参照しながら、音声クロックカウンタ（Ｂａｓｅ＿ｃｎｔ）３０３の補正値を算出する。また、補正値算出機構３０１は、Ｓｙｎｃパケットのロスを検出し擬似Ｓｙｎｃパケットを発生させる。
【００３２】
同期失敗検出機構３０４は、Ｓｙｎｃパケットで受信したカウンタ値Ｂａｓｅ＿ｃｎｔと補正音声クロックカウンタ（Ｏｗｎ＿ｃｎｔ）３０６のカウンタ値Ｏｗｎ＿ｃｎｔを比較する。そして、２つのカウンタ値の差が設定した値を超えた場合、補正音声クロックカウンタ（Ｏｗｎ＿ｃｎｔ）３０６に、親機Ｂａｓｅカウンタ値をロードする。
【００３３】
補正間隔生成部３０９、カウンタ値比較回路３０８及びＭＣＬＫ調整回路３２０は、補正間隔指定値で設定されたサイクルで、音声クロックカウンタ（Ｂａｓｅ＿ｃｎｔ）３０３のカウンタ値Ｂａｓｅ＿ｃｎｔと、補正音声クロックカウンタ（Ｏｗｎ＿ｃｎｔ）３０６のカウンタ値Ｏｗｎ＿ｃｎｔとを比較し、補正音声用クロックｍｃｌｋを調整する。
【００３４】
音声クロックカウンタ（Ｂａｓｅ＿ｃｎｔ）３０３は、クロックマスタ１０１のＢａｓｅ＿ｃｎｔの補正カウンタである。音声クロックカウンタ３０３は、クロックマスタ１０１と自機の音声クロックの周波数偏差をチェックした後、クロックマスタ１０１からのＢａｓｅ＿ｃｎｔをロードする。そしてＳｙｎｃパケットで受け取ったクロックマスタのＢａｓｅ＿ｃｎｔのカウンタ値と自機のカウンタ値を勘案し、自機のＢａｓｅ＿ｃｎｔを補正する。そして、補正なし音声用クロックｍｃｌｋ＿ｂａｓｅでカウントアップされる。
【００３５】
補正音声クロックカウンタ（Ｏｗｎ＿ｃｎｔ）３０６は、クロックマスタ１０１と自機の音声クロックの周波数偏差をチェックした後、クロックマスタ１０１からのＢａｓｅ＿ｃｎｔをロードする。そして、補正音声用クロックｍｃｌｋでカウントアップされる。
【００３６】
全体制御部３０２からは、カウンタ保持キュー入力データセレクト信号ＱＩＮ＿ＳＥＬ、カウンタ差分更新指示信号ＵＰＤＡＴＥ＿ＤＩＦＦ＿ＣＮＴ、Ｂａｓｅ＿ｃｎｔロード値選択信号ＢＡＳＥ＿ＣＮＴ＿ＩＮ＿ＳＥＬ、Ｏｗｎ＿ｃｎｔロード値選択信号ＲＥＬＯＡＤ＿ＯＷＮ＿ＣＮＴが出力され、擬似ＳＹＮＣ発生信号ＰＳＥＤＯ＿ＳＹＮＣ、同期はずれ検出信号ＳＹＮＣ＿ＥＲＲＯＲが入力される。また、カウンタ保持キュー入力データセレクト信号ＱＩＮ＿ＳＥＬはセレクタ３１１に入力され、カウンタ差分更新指示信号ＵＰＤＡＴＥ＿ＤＩＦＦ＿ＣＮＴはカウンタ差分保持部３１５に入力され、Ｂａｓｅ＿ｃｎｔロード値選択信号ＢＡＳＥ＿ＣＮＴ＿ＩＮ＿ＳＥＬはセレクタ３１８に入力され、Ｏｗｎ＿ｃｎｔロード値選択信号ＲＥＬＯＡＤ＿ＯＷＮ＿ＣＮＴはセレクタ３０５に入力される。
【００３７】
なお、補正値算出機構３０１、全体制御部３０２は、補正なし音声用クロックｍｃｌｋ＿ｂａｓｅで動作する。
【００３８】
図４は、本実施の形態の通信システムにおいて、全体制御部３０２の動作を示す状態遷移図である。
【００３９】
図４において、ＩＤＬＥは、アイドル状態、カウンタ停止状態を示す。ＳＴＡＲＴは音声クロック同期開始指示を示し、ＳＴＡＲＴ＝１でＩＤＬＥ状態からＡＧＩＮＧ状態に遷移する。
【００４０】
ＡＧＩＮＧは、音声クロック同期を取る前の履歴取得状態を示す。ＡＧＩＮＧ＿ＥＮＤはＳｙｎｃパケットを８回受信したことを示し、これによりＡＧＩＮＧ状態からＳＹＮＣ状態に遷移する。そして、ＡＧＩＮＧ状態からＳＹＮＣ状態に遷移した時、音声クロックカウンタ（Ｂａｓｅ＿ｃｎｔ）３０３と補正音声クロックカウンタ（Ｏｗｎ＿ｃｎｔ）３０６に初期値がロードされる。この初期値は、Ｓｙｎｃパケットのカウンタ値である。また、ＳＴＡＲＴ＝０でＡＧＩＮＧ状態からＩＤＬＥ状態に遷移する。
【００４１】
ＳＹＮＣは、音声クロック同期を行っている状態を示す。ＳＴＡＲＴ＝０でＳＹＮＣ状態からＩＤＬＥ状態に遷移する。ＳＹＮＣ＿ＥＲＲＯＲは、クロックマスタのＢａｓｅカウンタ値とＯｗｎカウンタ値の差が閾値を超えたことを示し、同期取り直しが行われる。
【００４２】
起動シーケンスは、次のとおりである。（１）ＳＴＡＲＴ＝１でカウンタが起動する。（２）ＳＴＡＲＴ＝１として、最初のＳＹＮＣで集合系カウンタをＳＹＮＣと同じ値にセットする。
【００４３】
図５は、本実施の形態の通信システムにおいて、音声クロック誤差と中継ディレイばらつきの時間的変化を示す図である。図５において、横軸は時間ｔ、縦軸は音声クロック誤差ｙ０と中継ディレイばらつきｙ１である。
【００４４】
図５に示すように、クロックマスタ１０１−端末１０３間の音声クロック誤差ｙ０は次式で表される。
【００４５】
ｙ０＝｜ｆ０−ｆ１｜×（１／ｆ）×ｔ
なお、ｆ０はクロックマスタ１０１の音声クロック周波数、ｆ１は端末１０３の音声クロック周波数、ｆは基準クロック、ｔは時間である。
【００４６】
また、パケット中継器１０２による中継ディレイばらつきｙ１は次式で表される。
【００４７】
ｙ１＝（ｄ１−ｄ０）×ｎ
なお、ｄ１はパケット中継器１０２の最大ディレイ、ｄ０は中継器の最小ディレイ、ｎはパケット中継器１０２の段数である。（図５において、ｄ＝ｄ１−ｄ０）
図５において、音声クロック誤差ｙ０と中継ディレイばらつきｙ１とが等しくなる時間ａは、次式で表される。
【００４８】
ａ＝（（ｄ１−ｄ０）×ｎ）／（｜ｆ０−ｆ１｜×（１／ｆ））
時間ａの場合、誤差の原因がクロック周波数偏差なのか中継ディレイなのか、判別ができない。
【００４９】
時間ｂ（＞＞ａ）、例えば時間ｂ＝２４時間の場合、音声クロック誤差ｙ０に対して中継ディレイばらつきｙ１を無視できる程度になる。
【００５０】
すなわち、クロックマスタ１０１−端末１０３間の音声クロック偏差（誤差）は、時間の経過とともに大きくなる。また、Ｓｙｎｃパケットの到達時間にゆれが発生する。到達時間のゆれは時間経過と関係ない。最大値は、システム構成で決まる。
【００５１】
したがって、Ｓｙｎｃパケットの到達時間のゆれ幅（ｙ１）より音声クロック偏差（ｙ０）が大きくなる時間間隔（ｔ＞ａ）、例えばｔ＝ｂ＝２４時間、空けてＳｙｎｃパケットのクロックマスタと端末間のクロック偏差を比較すれば、音声クロックの補正特性が向上する。
【００５２】
具体的には、Ｓｙｎｃパケット送信タイミング生成部３０７で、Ｓｙｎｃパケット（音声同期用パケット）の端末１０３への到達時間のゆれ幅より音声クロックの周波数偏差が大きくなる時間間隔を空けてＳｙｎｃパケットを送信する。これにより、前記第１〜第３の課題を解決することができる。
【００５３】
また、パケットロスの検出は、予めＳｙｎｃパケット送信間隔をシステムで規定する。端末はＳｙｎｃパケット間隔をタイマ監視し、この間、パケットを受信しなければパケットロスと判断する。監視時間は、Ｓｙｎｃパケットの送信間隔＋Ｓｙｎｃパケットの到達時間のゆれ時間とする。具体的には、擬似ＳＹＮＣ発生機構３１９で、受信したＳｙｎｃパケットの時間間隔をタイマにて監視し、そのタイマに予め設定された時間を超えたとき、Ｓｙｎｃパケットが損失したものと判断する。これにより、前記第４の課題を解決することができる。
【００５４】
また、Ｓｙｎｃパケットの送信間隔に対して、クロックマスタと端末間の周波数偏差の相対関係は周辺条件（温度、電源電圧）による変化は十分遅い。そこで、パケットロスしても、過去のクロック補正履歴があれば、クロック補正予測できる。
【００５５】
各端末は、Ｓｙｎｃパケットの同期カウンタ値と自機の同期カウンタ値を比較し、この差分が予め指定した閾値を超えた場合、再度同期を取り直す。
【００５６】
具体的には、Ｓｙｎｃパケットは同期カウンタ値を含み、同期失敗検出機構３０４で、
Ｓｙｎｃパケットの同期カウンタ値と、端末の同期カウンタの値とを比較し、その差分が予め設定した閾値を超えたとき、再度同期を取り直す。これにより、前記第５の課題を解決することができる。
【００５７】
図６は、本発明の前提として検討した通信システムにおいて、クロックカウンタ値と時間との関係を示す図である。図７は、本実施の形態による通信システムにおいて、クロックカウンタ値と時間との関係を示す図である。図６及び図７において、時間ｔ１は、Ｓｙｎｃパケットの送信時間間隔である。
【００５８】
図６に示すように、Ｓｙｎｃパケットの送信時間間隔が大きいと音声クロックのジッタ（周波数のゆれ）が大きくなる。そこで、本実施の形態では、図７に示すように、周波数偏差検出の検出期間を重ねることでクロック補正ポイントを増やし、音声クロックジッタを抑える。
【００５９】
具体的には、補正値算出機構３０１で、周波数偏差検出の検出期間をずらして重ねることで補正ポイントを増やす。これにより、前記第６の課題を解決することができる。
【００６０】
したがって、本実施の形態の通信システムによれば、端末間の音声通信において、音声データのロスが無いことから音声品質が良くなる。
【００６１】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００６２】
例えば、前記実施の形態においては、ドアホンシステムについて説明したが、これに限定されるものではなく、他のイーサネット（登録商標）（Ｅｔｈｅｒｎｅｔ）を使った音声通信システムについても適用可能である。
【産業上の利用可能性】
【００６３】
本発明は、デジタルドアホンシステム、親機と複数の子機から構成されるデイジーチェイン接続された小規模ネットワークシステム等に利用可能である。
【図面の簡単な説明】
【００６４】
【図１】本発明の一実施の形態による通信システムの構成を示すブロック図である。
【図２】本発明の一実施の形態による通信システムにおいて、端末の構成を示すブロック図である。
【図３】図２の同期モジュール（Ｍｏｄｕｌｅ）の構成を示すブロック図である。
【図４】本発明の一実施の形態による通信システムにおいて、全体制御部の動作を示す状態遷移図である。
【図５】本発明の一実施の形態による通信システムにおいて、音声クロック誤差と中継ディレイばらつきの時間的変化を示す図である。
【図６】本発明の前提として検討した通信システムにおいて、クロックカウンタ値と時間との関係を示す図である。
【図７】本発明の一実施の形態による通信システムにおいて、クロックカウンタ値と時間との関係を示す図である。
【符号の説明】
【００６５】
１０１  クロックマスタ
１０２ａ〜ｄ  パケット中継器（ＨＵＢ）
１０３ａ〜１０３ｅ  端末
２０２  マイク
２０３  スピーカ
２０４  音声コーデック（Ｃｏｄｅｃ）
２０５  音声同期ロジック（Ｌｏｇｉｃ）
２０６  音声処理ＤＳＰ
２０７  ネットワーク処理部
２０８ａ〜ｃ  同期モジュール（Ｍｏｄｕｌｅ）
３０１  補正値算出機構
３０２  全体制御部
３０３  音声クロックカウンタ（Ｂａｓｅ＿ｃｎｔ）
３０４  同期失敗検出機構
３０５，３１１，３１８  セレクタ（ＳＥＬ）
３０６  補正音声クロックカウンタ（Ｏｗｎ＿ｃｎｔ）
３０７  Ｓｙｎｃパケット送信タイミング生成部
３０８  カウンタ値比較回路
３０９  補正間隔生成部
３１０  自音声クロックカウンタ（Ａｐ＿ｃｎｔ）
３１２  カウンタ値保持キュー
３１３  差分検出部
３１４  差分加算部
３１５  カウンタ差分保持部
３１６  分周器
３１７  加算器
３１９  擬似ＳＹＮＣ発生機構
３２０  ＭＣＬＫ調整回路  
【図１】
2009141743.tif 000003
【図２】
2009141743.tif 000004
【図３】
2009141743.tif 000005
【図４】
2009141743.tif 000006
【図５】
2009141743.tif 000007
【図６】
2009141743.tif 000008
【図７】
2009141743.tif 000009